(57)【要約】      （修正有）【課題】携帯情報端末に把持具を装着して使用する場合、把持部により指が固定され、携帯情報端末の画面に届く指の範囲が限定される。【解決手段】携帯情報端末に装着して用いる滑動自在な把持具（Ｃ１１）に案内溝（C２１）を設け、案内溝（C２１）を滑動自在に滑動する滑動自在な溝（C１６）を備えたプレート（C１４）を設け、さらにプレート（C１４）に備えた滑動自在な溝（C１６）に把持部（C１３）を滑動自在に連結して設けた回動自在、かつ、縦横斜めの方向へ滑動自在になる把持具（Ｃ１９）とする。【選択図】図２
2020205463.tif 000002
【特許請求の範囲】
【請求項１】
携帯情報端末に装着して用いる把持具であって
前記把持具に滑動自在な第一案内部を設け、前記案内部を自在に滑動する滑動部を設け、
前記滑動部にさらに第二案内部を設け、前記滑動部の第二案内部に
把持部を回動自在かつ上下左右斜めへ滑動自在に連結して設けたことを
特徴とする上下左右斜めに滑動自在な把持具
【請求項２】
携帯情報端末に装着して用いる把持具であって
前記把持具に滑動自在な第一案内部を並べて設け、
前記並べて設けた第一案内部の間を自在に滑動する
滑動部を設け、前記滑動部にさらに第二案内部を設け前記滑動部の第二案内部に
把持部を回動自在かつ上下左右斜めへ滑動自在に連結して設けたことを
特徴とする上下左右斜めに滑動自在な把持具
【請求項３】
携帯情報端末に装着して用いる把持具であって
前記把持具の一部に内側に向かい合う第一案内部を設け
内側に向かい合った前記第一案内部の間を自在に滑動する滑動部を設け、前記滑動部の
一部にさらに第二案内部を設け、前記滑動部の前記第二案内部
に把持部を上下左右斜めへ滑動、回動を自在に連結して設けたことを
特徴とする上下左右斜めに滑動自在な把持具
【請求項４】
携帯情報端末に装着して用いる把持具であって
前記把持具の一部に外側に向かい合う第一案内部を設け
外側に向かい合った前記第一案内部の間を自在に滑動する滑動部を設け、前記滑動部の
一部にさらに第二案内部を設け、前記滑動部の前記第二案内部
に把持部を上下左右斜めへ滑動、回動を自在に連結して設けたことを
特徴とする上下左右斜めに滑動自在な把持具
【請求項５】
請求項１から４に記載のいずれかの
滑動自在な把持部を備えた滑動自在な把持具において
前記第一案内部を滑動する前記滑動部に車輪をさらに設けたことを
特徴とする上下左右斜めに滑動自在な把持具
【請求項６】
請求項１から５に記載のいずれかの
滑動自在な把持部を備えた把持具において
前記把持具に設けた第一案内部を自在に滑動する滑動部を板状の滑動部としたことを
特徴とする上下左右斜めに滑動自在な把持具
【請求項７】
請求項１から６に記載のいずれかの
滑動自在な把持部を備えた把持具において
前記把持具に設けた第一案内部を自在に滑動する滑動部をカバー状の滑動部としたことを
特徴とする上下左右斜めに滑動自在な把持具
【請求項８】
請求項１から７に記載のいずれかの
滑動自在な把持部を備えた把持具において
前記把持具に設けた第一案内部を案内溝としたことを
特徴とする上下左右斜めに滑動自在な把持具
【請求項９】
請求項１から８に記載のいずれかの
滑動自在な把持部を備えた把持具において
前記把持具に設けた第一案内部を案内軸としたことを
特徴とする上下左右斜めに滑動自在な把持具
【請求項１０】
請求項１から９に記載のいずれかの
滑動自在な把持部を備えた把持具において
前記把持具に設けた前記第一案内部を案内レールとしたことを
特徴とする上下左右斜めに滑動自在な把持具
【請求項１１】
請求項１から１０に記載のいずれかの
滑動自在な把持部を備えた把持具において
前記把持具に設けた前記第一案内部を自在に滑動する滑動部の第二案内部を案内溝としたことを
特徴とする上下左右斜めに滑動自在な把持具
【請求項１２】
請求項１から１１に記載のいずれかの
滑動自在な把持部を備えた把持具において
前記把持具に設けた前記第一案内部を自在に滑動する滑動部の第二案内部を案内軸としたことを
特徴とする上下左右斜めに滑動自在な把持具
【請求項１３】
請求項１から１２に記載のいずれかの
滑動自在な把持部を備えた把持具において
前記把持具に設けた前記第一案内部を自在に滑動する滑動部の第二案内部を案内レールとしたことを
特徴とする上下左右斜めに滑動自在な把持具
【請求項１４】
請求項１から１３に記載のいずれかの
滑動自在な把持部を備えた把持具において
把持部の角度を変更自在に設けたことを特徴とする上下左右斜めに滑動自在な把持具
【請求項１５】
請求項１から請求項１４に記載のいずれかの
滑動自在な把持部を備えた把持具において
滑動範囲を変更自在にするストッパーを前記滑動自在な把持具の一部にさらに
設けたことを特徴とする上下左右斜めに滑動自在な把持具
【請求項１６】
請求項１から請求項１５に記載のいずれかの
滑動自在な把持部を備えた把持具において
滑動自在な把持具を固定自在にするストッパーさらに
設けたことを特徴とする上下左右斜めに滑動自在な把持具
【請求項１７】
請求項１から請求項１６に記載のいずれかの
滑動自在な把持部を備えた把持具において
携帯情報端末とは携帯音楽プレーヤーも含むことを
特徴とする上下左右斜めに滑動自在な把持具
【請求項１８】
請求項１から請求項１６に記載のいずれかの
滑動自在な把持部を備えた把持具において
携帯情報端末とはスマートフォン端末も含むことを
特徴とする上下左右斜めに滑動自在な把持具
【請求項１９】
請求項１から請求項１６に記載のいずれかの
滑動自在な把持部を備えた把持具において
携帯情報端末とはタブレット端末も含むことを
特徴とする上下左右斜めに滑動自在な把持具
【請求項２０】
請求項１から請求項１６に記載のいずれかの
滑動自在な把持部を備えた把持具において
携帯情報端末とはゲーム機も含むことを
特徴とする上下左右斜めに滑動自在な把持具
【請求項２１】
請求項１から請求項１６に記載のいずれかの
滑動自在な把持部を備えた把持具において
携帯情報端末とはゲーム機のコントローラーも含むことを
特徴とする上下左右斜めに滑動自在な把持具
【請求項２２】
請求項１から請求項１６に記載のいずれかの
滑動自在な把持部を備えた把持具において
携帯情報端末とはVR端末も含むことを
特徴とする上下左右斜めに滑動自在な把持具
【請求項２３】
請求項１から請求項１６に記載のいずれかの
滑動自在な把持部を備えた把持具において
携帯情報端末とはVR端末のコントローラーも含むことを
特徴とする上下左右斜めに滑動自在な把持具
【請求項２４】
請求項１から請求項１６に記載のいずれかの
滑動自在な把持部を備えた把持具において
携帯情報端末とはウェアラブル端末も含むことを
特徴とする上下左右斜めに滑動自在な把持具
【請求項２５】
請求項１から請求項１６に記載のいずれかの
滑動自在な把持部を備えた把持具において
携帯情報端末とは電子辞書端末も含むことを
特徴とする上下左右斜めに滑動自在な把持具
【請求項２６】
請求項１から請求項１６に記載のいずれかの
滑動自在な把持部を備えた把持具において
携帯情報端末とは電子書籍端末も含むことを
特徴とする上下左右斜めに滑動自在な把持具
【請求項２７】
請求項１から請求項１６に記載のいずれかの
滑動自在な把持部を備えた把持具において
携帯情報端末とは通信機能を搭載した端末も含むことを
特徴とする上下左右斜めに滑動自在な把持具
【請求項２８】
請求項１から請求項２７に記載のいずれかの
滑動自在な把持部を備えた把持具において
非金属製の素材で構成されていることを
特徴とする上下左右斜めに滑動自在な把持具
【請求項２９】
請求項１から請求項２８に記載のいずれかの
滑動自在な把持部を備えた把持具において
滑動自在な把持部を着脱自在に設けていることを
特徴とする上下左右斜めに滑動自在な把持具
【請求項３０】
請求項１から請求項２９に記載のいずれかの
滑動自在な把持部を備えた把持具において
携帯情報端末とは携帯情報端末ケースと携帯情報端末カバー、携帯情報端末保護具も含むことを
特徴とする上下左右斜めに滑動自在な把持具
【発明の詳細な説明】
【技術分野】
【０００１】
本発明は、携帯情報端末に装着して用いる把持具であって、回動自在かつ全方向へ滑動自在な把持具に関するものであり、回動自在かつ全方向へ滑動自在な把持部により、把持部に指を通して把持したまま、情報携帯端末画面を操作する指の操作範囲を広げられるようにしたものである。
【発明の開示】
【発明が解決しようとする課題】
【０００２】
従来のようなリング状の固定された把持部を備えた携帯情報端末や携帯情報端末ケースや
携帯情報端末バンパーや把持具では把持部に指を通すと指の位置が把持部により固定されるため、固定され
た指がある手で片手操作をする場合に携帯情報端末を操作する指の範囲が狭くなってしまうという不都合を解決することを課題とする
【課題を解決するための手段】
【０００３】
請求項１に記載の発明は
携帯情報端末に装着して用いる把持具であって
前記把持具に滑動自在な第一案内部を設け、前記案内部を自在に滑動する滑動部を設け、
前記滑動部にさらに第二案内部を設け、前記滑動部の第二案内部に
把持部を回動自在かつ上下左右斜めへ滑動自在に連結して設けたことを
特徴とする上下左右斜めに滑動自在な把持具
である。これにより把持部に手の指を通して
把持し手のひらの角度を変えることで把持部が滑動
することで携帯情報端末の画面に指が届く範囲を広く
することができる。
【０００４】
請求項２に記載の発明は
携帯情報端末に装着して用いる把持具であって
前記把持具に滑動自在な第一案内部を並べて設け、
前記並べて設けた第一案内部の間を自在に滑動する
滑動部を設け、前記滑動部にさらに第二案内部を設け前記滑動部の第二案内部に
把持部を回動自在かつ上下左右斜めへ滑動自在に連結して設けたことを
特徴とする上下左右斜めに滑動自在な把持具
である。これにより把持部に手の指を通して
把持し手のひらの角度を変えることで把持部が滑動
することで携帯情報端末の画面に指が届く範囲を広く
することができる。
【０００５】
請求項３に記載の発明は
携帯情報端末に装着して用いる把持具であって
前記把持具の一部に内側に向かい合う第一案内部を設け
内側に向かい合った前記第一案内部の間を自在に滑動する滑動部を設け、前記滑動部の
一部にさらに第二案内部を設け、前記滑動部の前記第二案内部
に把持部を上下左右斜めへ滑動、回動を自在に連結して設けたことを
特徴とする上下左右斜めに滑動自在な把持具
である。これにより把持部に手の指を通して
把持し手のひらの角度を変えることで把持部が滑動
することで携帯情報端末の画面に指が届く範囲を広く
することができる。
【０００６】
請求項４に記載の発明は
携帯情報端末に装着して用いる把持具であって
前記把持具の一部に外側に向かい合う第一案内部を設け
外側に向かい合った前記第一案内部の間を自在に滑動する滑動部を設け、前記滑動部の
一部にさらに第二案内部を設け、前記滑動部の前記第二案内部
に把持部を上下左右斜めへ滑動、回動を自在に連結して設けたことを
特徴とする上下左右斜めに滑動自在な把持具
である。
これにより
把持部に手の指を通して
把持し手のひらの角度を変えることで把持部が滑動
することで携帯情報端末の画面に指が届く範囲を広く
することができる。
【０００７】
請求項５に記載の発明は
請求項１から４に記載のいずれかの
滑動自在な把持部を備えた滑動自在な把持具において
前記第一案内部を滑動する前記滑動部に車輪をさらに設けたことを
特徴とする上下左右斜めに滑動自在な把持具
である。
これにより
把持部に手の指を通して
把持し手のひらの角度を変えることで把持部が滑動
することで携帯情報端末の画面に指が届く範囲を広く
することができる。
【０００８】
請求項６に記載の発明は
請求項１から５に記載のいずれかの
滑動自在な把持部を備えた把持具において
前記把持具に設けた第一案内部を自在に滑動する滑動部を板状の滑動部としたことを
特徴とする上下左右斜めに滑動自在な把持具
である。
これにより
把持部に手の指を通して
把持し手のひらの角度を変えることで把持部が滑動
することで携帯情報端末の画面に指が届く範囲を広く
することができる。
【０００９】
請求項７に記載の発明は
請求項１から６に記載のいずれかの
滑動自在な把持部を備えた把持具において
前記把持具に設けた第一案内部を自在に滑動する滑動部をカバー状の滑動部としたことを
特徴とする上下左右斜めに滑動自在な把持具
である。
これにより
把持部に手の指を通して
把持し手のひらの角度を変えることで把持部が滑動
することで携帯情報端末の画面に指が届く範囲を広く
することができる。
【００１０】
請求項８に記載の発明は
請求項１から７に記載のいずれかの
滑動自在な把持部を備えた把持具において
前記把持具に設けた第一案内部を案内溝としたことを
特徴とする上下左右斜めに滑動自在な把持具
である。
これにより
把持部に手の指を通して
把持し手のひらの角度を変えることで把持部が滑動
することで携帯情報端末の画面に指が届く範囲を広く
することができる。
【００１１】
請求項９に記載の発明は
請求項１から８に記載のいずれかの
滑動自在な把持部を備えた把持具において
前記把持具に設けた第一案内部を案内軸としたことを
特徴とする上下左右斜めに滑動自在な把持具
である。
これにより
把持部に手の指を通して
把持し手のひらの角度を変えることで把持部が滑動
することで携帯情報端末の画面に指が届く範囲を広く
することができる。
【００１２】
請求項１０に記載の発明は
請求項１から９に記載のいずれかの
滑動自在な把持部を備えた把持具において
前記把持具に設けた前記第一案内部を案内レールとしたことを
特徴とする上下左右斜めに滑動自在な把持具
である。
これにより
把持部に手の指を通して
把持し手のひらの角度を変えることで把持部が滑動
することで携帯情報端末の画面に指が届く範囲を広く
することができる。
【００１３】
請求項１１に記載の発明は
請求項１から１０に記載のいずれかの
滑動自在な把持部を備えた把持具において
前記把持具に設けた前記第一案内部を自在に滑動する滑動部の第二案内部を案内溝としたことを
特徴とする上下左右斜めに滑動自在な把持具
である。
これにより
把持部に手の指を通して
把持し手のひらの角度を変えることで把持部が滑動
することで携帯情報端末の画面に指が届く範囲を広く
することができる。
【００１４】
請求項１２に記載の発明は
請求項１から１１に記載のいずれかの
滑動自在な把持部を備えた把持具において
前記把持具に設けた前記第一案内部を自在に滑動する滑動部の第二案内部を案内軸としたことを
特徴とする上下左右斜めに滑動自在な把持具
である。
これにより
把持部に手の指を通して
把持し手のひらの角度を変えることで把持部が滑動
することで携帯情報端末の画面に指が届く範囲を広く
することができる。
【００１５】
請求項１３に記載の発明は
請求項１から１２に記載のいずれかの
滑動自在な把持部を備えた把持具において
前記把持具に設けた前記第一案内部を自在に滑動する滑動部の第二案内部を案内レールとしたことを
特徴とする上下左右斜めに滑動自在な把持具
である。
これにより
把持部に手の指を通して
把持し手のひらの角度を変えることで把持部が滑動
することで携帯情報端末の画面に指が届く範囲を広く
することができる。
【００１６】
請求項１４に記載の発明は
請求項１から１３に記載のいずれかの
滑動自在な把持部を備えた把持具において
把持部の角度を変更自在に設けたことを特徴とする上下左右斜めに滑動自在な把持具
である。
これにより
把持部に手の指を通して
把持し手のひらの角度を変えることで把持部が滑動
することで携帯情報端末の画面に指が届く範囲を広く
することができる。
【００１７】
請求項１５に記載の発明は
請求項１から請求項１４に記載のいずれかの
滑動自在な把持部を備えた把持具において
滑動範囲を変更自在にするストッパーを前記滑動自在な把持具の一部にさらに
設けたことを特徴とする上下左右斜めに滑動自在な把持具
である。
これにより
把持部に手の指を通して
把持し手のひらの角度を変えることで把持部が滑動
することで携帯情報端末の画面に指が届く範囲を広く
することができる。
【００１８】
請求項１６に記載の発明は
請求項１から請求項１５に記載のいずれかの
滑動自在な把持部を備えた把持具において
滑動自在な把持具を固定自在にするストッパーさらに
設けたことを特徴とする上下左右斜めに滑動自在な把持具
である。
これにより
把持部に手の指を通して
把持し手のひらの角度を変えることで把持部が滑動
することで携帯情報端末の画面に指が届く範囲を広く
することができる。
【００１９】
請求項１７に記載の発明は
請求項１から請求項１６に記載のいずれかの
滑動自在な把持部を備えた把持具において
携帯情報端末とは携帯音楽プレーヤーも含むことを
特徴とする上下左右斜めに滑動自在な把持具
である。
これにより
把持部に手の指を通して
把持し手のひらの角度を変えることで把持部が滑動
することで携帯情報端末の画面に指が届く範囲を広く
することができる。
【００２０】
請求項１８に記載の発明は
請求項１から請求項１６に記載のいずれかの
滑動自在な把持部を備えた把持具において
携帯情報端末とはスマートフォン端末も含むことを
特徴とする上下左右斜めに滑動自在な把持具
である。
これにより
把持部に手の指を通して
把持し手のひらの角度を変えることで把持部が滑動
することで携帯情報端末の画面に指が届く範囲を広く
することができる。
【００２１】
請求項１９に記載の発明は
請求項１から請求項１６に記載のいずれかの
滑動自在な把持部を備えた把持具において
携帯情報端末とはタブレット端末も含むことを
特徴とする上下左右斜めに滑動自在な把持具
である。
これにより
把持部に手の指を通して
把持し手のひらの角度を変えることで把持部が滑動
することで携帯情報端末の画面に指が届く範囲を広く
することができる。
【００２２】
請求項２０に記載の発明は
請求項１から請求項１６に記載のいずれかの
滑動自在な把持部を備えた把持具において
携帯情報端末とはゲーム機も含むことを
特徴とする上下左右斜めに滑動自在な把持具
である。
これにより
把持部に手の指を通して
把持し手のひらの角度を変えることで把持部が滑動
することで携帯情報端末の画面に指が届く範囲を広く
することができる。
【００２３】
請求項２１に記載の発明は
請求項１から請求項１６に記載のいずれかの
滑動自在な把持部を備えた把持具において
携帯情報端末とはゲーム機のコントローラーも含むことを
特徴とする上下左右斜めに滑動自在な把持具
である。
これにより
把持部に手の指を通して
把持し手のひらの角度を変えることで把持部が滑動
することで携帯情報端末の画面に指が届く範囲を広く
することができる。
【００２４】
請求項２２に記載の発明は
請求項１から請求項１６に記載のいずれかの
滑動自在な把持部を備えた把持具において
携帯情報端末とはVR端末も含むことを
特徴とする上下左右斜めに滑動自在な把持具
である。
これにより
把持部に手の指を通して
把持し手のひらの角度を変えることで把持部が滑動
することで携帯情報端末の画面に指が届く範囲を広く
することができる。
【００２５】
請求項２３に記載の発明は
請求項１から請求項１６に記載のいずれかの
滑動自在な把持部を備えた把持具において
携帯情報端末とはVR端末のコントローラーも含むことを
特徴とする上下左右斜めに滑動自在な把持具
である。
これにより
把持部に手の指を通して
把持し手のひらの角度を変えることで把持部が滑動
することで携帯情報端末の画面に指が届く範囲を広く
することができる。
【００２６】
請求項２４に記載の発明は
請求項１から請求項１６に記載のいずれかの
滑動自在な把持部を備えた把持具において
携帯情報端末とはウェアラブル端末も含むことを
特徴とする上下左右斜めに滑動自在な把持具
である。
これにより
把持部に手の指を通して
把持し手のひらの角度を変えることで把持部が滑動
することで携帯情報端末の画面に指が届く範囲を広く
することができる。
【００２７】
請求項２５に記載の発明は
請求項１から請求項１６に記載のいずれかの
滑動自在な把持部を備えた把持具において
携帯情報端末とは電子辞書端末も含むことを
特徴とする上下左右斜めに滑動自在な把持具
である。
これにより
把持部に手の指を通して
把持し手のひらの角度を変えることで把持部が滑動
することで携帯情報端末の画面に指が届く範囲を広く
することができる。
【００２８】
請求項２６に記載の発明は
請求項１から請求項１６に記載のいずれかの
滑動自在な把持部を備えた把持具において
携帯情報端末とは電子書籍端末も含むことを
特徴とする上下左右斜めに滑動自在な把持具
である。
これにより
把持部に手の指を通して
把持し手のひらの角度を変えることで把持部が滑動
することで携帯情報端末の画面に指が届く範囲を広く
することができる。
【００２９】
請求項２７に記載の発明は
請求項１から請求項１６に記載のいずれかの
滑動自在な把持部を備えた把持具において
携帯情報端末とは通信機能を搭載した端末も含むことを
特徴とする上下左右斜めに滑動自在な把持具
である。
これにより
把持部に手の指を通して
把持し手のひらの角度を変えることで把持部が滑動
することで携帯情報端末の画面に指が届く範囲を広く
することができる。
【００３０】
請求項２８に記載の発明は
請求項１から請求項２７に記載のいずれかの
滑動自在な把持部を備えた把持具において
非金属製の素材で構成されていることを
特徴とする上下左右斜めに滑動自在な把持具
である。
これにより
把持部に手の指を通して
把持し手のひらの角度を変えることで把持部が滑動
することで携帯情報端末の画面に指が届く範囲を広く
することができる。
【００３１】
請求項２９に記載の発明は
請求項１から請求項２８に記載のいずれかの
滑動自在な把持部を備えた把持具において
滑動自在な把持部を着脱自在に設けていることを
特徴とする上下左右斜めに滑動自在な把持具
である。
これにより
把持部に手の指を通して
把持し手のひらの角度を変えることで把持部が滑動
することで携帯情報端末の画面に指が届く範囲を広く
することができる。
【００３２】
請求項３０に記載の発明は
請求項１から請求項２９に記載のいずれかの
滑動自在な把持部を備えた把持具において
携帯情報端末とは携帯情報端末ケースと携帯情報端末カバー、携帯情報端末保護具も含むことを
特徴とする上下左右斜めに滑動自在な把持具
である。
これにより
把持部に手の指を通して
把持し手のひらの角度を変えることで把持部が滑動
することで携帯情報端末の画面に指が届く範囲を広く
することができる。
【発明の効果】
【００３３】
本発明により、把持部に指を通した手で片手操作をする場合に、携帯情報端末を操作する
指の範囲が狭くなってしまうという不都合は起きず、滑動自在な把持部により把持したま
ま指の操作範囲を広げることができる。
【発明を実施するための形態】
【００３４】
以下、本発明の実施の形態を説明する
[実施形態１］
本発明の滑動自在な把持具（B１１）の構成は
把持具（B12）の一部に案内溝（B１４）
を設け案内溝（B１４）を滑動自在に移動する車輪（B３０）と把持部（B１６）を備えた
滑動自在な把持部（B１５）を設ける、滑動自在な把持部（B１５）にはさらに
滑動自在な溝（B２５）と滑動自在な溝（B２５）を把持部（B１６）と連結して滑動する
滑動部（B２１）を備える。
本発明の滑動自在な把持具（B１１）を使用する場合は
把持具（B１２）に携帯情報端末を装着し
把持具（B１２）に設けた滑動自在な把持部（B１５）に手の指を通して把持
し手のひらの角度を変えることで上下左右斜めに滑動自在な把持部（B１５）が滑動
することで携帯情報端末の画面に指が届く範囲が広くなる
また面ファスナーや吸盤などを装着部に用いて着脱自在に設けても良い
また構造上仰向けなって把持具に指を通して操作する場合も手の角度を変えるだけで回動自在かつ滑動自在に把持することができる
また、携帯電話端末、スマートフォン、タブレット端末、ウェアラブル端末、電子書籍端末、ゲーム機、ゲーム機のコントローラー、音楽プレーヤー、などに装着しても良い
また、上記端末機器を保護するケース、カバー、バンパー、にも装着しても良い
また上記端末機器の機能を有する端末に装着しても良い
【００３５】
[実施形態２］
本発明の滑動自在な把持具（C１１）の構成は
把持具（C１９）の一部に案内溝（C２１）
を設け、さらに案内溝（C２１）を滑動自在に滑動する滑動自在な溝（C１６）を備えたプレート（C１４）を設けさらにプレート（C１４）に備えた滑動自在な溝（C１６）に把持部（C１３）を滑動自在に連結して備える。
本発明の滑動自在な把持具（C１１）を使用する場合は
把持具（C１９）に携帯情報端末を装着し
把持具（C１９）に設けた滑動自在な把持部（C１３）に手の指を通して把持
し手のひらの角度を変えることで上下左右斜めに滑動自在な把持部（C１３）が滑動
することで携帯情報端末の画面に指が届く範囲が広くなる
また面ファスナーや吸盤などを装着部に用いて着脱自在に設けても良い
また構造上仰向けなって把持具に指を通して操作する場合も手の角度を変えるだけで回動自在かつ滑動自在に把持することができる
また、携帯電話端末、スマートフォン、タブレット端末、ウェアラブル端末、電子書籍端末、ゲーム機、ゲーム機のコントローラー、音楽プレーヤー、などに装着しても良い
また、上記端末機器を保護するケース、カバー、バンパー、にも装着しても良い
また上記端末機器の機能を有する端末に装着しても良い
【００３６】
[実施形態３］
本発明の滑動自在な把持具（L１１）の構成は
把持具（L１２）の一部に軸（L１９）と軸（L１４）を
設け、さらに軸（L１４）と軸（L１９）を滑動自在に移動する
軸（L１６）を備えた滑動部（L１５）を軸（L１９）と軸（L１４）に滑動自在に設ける
さらに滑動部（L１５）に備えた軸（L１６）を滑動
自在に移動する滑動部（L１７）を備えた把持部（L１８）を滑動部（L１５）に設ける
本発明の滑動自在な把持具（L１１）を使用する場合は
把持具（L１２）に携帯情報端末を装着し
把持具（L１２）に設けた滑動自在な把持部（L１８）に手の指を通して把持
し手のひらの角度を変えることで上下左右斜めに滑動自在な把持部（L１８）が滑動
することで携帯情報端末の画面に指が届く範囲が広くなる
また面ファスナーや吸盤などを装着部に用いて着脱自在に設けても良い
また構造上仰向けなって把持具に指を通して操作する場合も手の角度を変えるだけで回動自在かつ滑動自在に把持することができる
また、携帯電話端末、スマートフォン、タブレット端末、ウェアラブル端末、電子書籍端末、ゲーム機、ゲーム機のコントローラー、音楽プレーヤー、などに装着しても良い
また、上記端末機器を保護するケース、カバー、バンパー、にも装着しても良い
また上記端末機器の機能を有する端末に装着しても良い
【００３７】
[実施形態４］
本発明の滑動自在な把持具（CC１１）の構成は
携帯情報端末バンパー（CC１５）の一部に案内軸（CC１４）
を設け、さらに案内溝（CC１３）を備えたプレート（CC１７）を
把持具（CC１５）の案内軸（CC１４）に滑動自在に設け、
プレート（CC１７）に備えた案内溝（CC１３）を
滑動部（CC１８）で回動、滑動自在に挟んで挿着して設け
把持部（CC１９）を回動自在に連結して設ける
本発明の滑動自在な把持部を備えた滑動自在な把持具（CC１１）を使用する場合は
滑動自在な把持具（CC１１）に携帯情報端末を装着し
滑動自在な把持具（CC１１）に設けた滑動自在な把持部（CC１９）に手の指を
通して把持し手のひらの角度を変えることで上下左右斜めに滑動自在な
把持部（CC１９）が滑動
することで携帯情報端末の画面に指が届く範囲が広くなる
また面ファスナーや吸盤などを装着部に用いて着脱自在に設けても良い
また構造上仰向けなって把持具に指を通して操作する場合も手の角度を変えるだけで回動自在かつ滑動自在に把持することができる
また、携帯電話端末、スマートフォン、タブレット端末、ウェアラブル端末、電子書籍端末、ゲーム機、ゲーム機のコントローラー、音楽プレーヤー、などに装着しても良い
また、上記端末機器を保護するケース、カバー、バンパー、にも装着しても良い
また上記端末機器の機能を有する端末に装着しても良い
【図面の簡単な説明】
【００３８】
【図１】実施形態１の滑動自在な把持具の図（B−１）把持具の斜視図（B−２）把持部の断面図
【図２】実施形態２の滑動自在な把持具の分解斜視図
【図３】実施形態２の滑動自在な把持具の斜視図
【図４】実施形態３の滑動自在な把持具の図（L−１）把持具の上面図（L−２）把持具の斜視図
【図５】実施形態４の滑動自在な把持具の斜視図
【符号の説明】
【００３９】
B１１  滑動自在な把持具
B１２  把持具
B１４  案内溝
B１５  滑動自在な把持部
B１６  把持部
B１７  連結穴
B１８  滑動部と把持部との連結部
B１９  接続穴
B２０  接続穴
B２１  滑動部
B２２  連結部
B２３  連結穴
B２４  プレート
B２５  滑動自在な溝
B２６  棒
B２７  車輪軸
B２８  車輪軸の固定部
B２９  車輪取り付け部の車輪軸着穴
B３０  車輪
B３１  車輪の穴
B３２  車輪取り付け部
B３３    凹凸部
B３４    凹凸部
B３５    ストッパー
B３６    断面位置
C１１  滑動自在な把持具
C１２  プレート滑動スペース
C１３  把持部
C１４  プレート
C１５  滑動部
C１６  滑動自在な溝
C１７  滑動部と把持部との連結部
C１８  ストッパー
C１９  把持具
C２０  携帯情報端末
C２１  案内溝
C２２  連結穴
C２３  連結穴
C２４  連結穴
C２５  接続穴
C２６  連結穴
C２７  棒
C２８  滑動部
L１１  滑動自在な把持具
L１２  把持具
L１３  固定部
L１４  軸
L１５  滑動部
L１６  軸
L１７  滑動部
L１８  把持部
L１９  軸
CC１１  滑動自在な把持具
CC１２  装着面
CC１３  案内溝
CC１４  案内軸
CC１５  把持具
CC１６  滑動部
CC１７  プレート
CC１８  滑動部
CC１９  把持部
【図１】
2020205463.tif 000003
【図２】
2020205463.tif 000004
【図３】
2020205463.tif 000005
【図４】
2020205463.tif 000006
【図５】
2020205463.tif 000007